(57)【要約】【課題】切断時における使用者への負担を軽減させることが可能な切断装置を提供する。【解決手段】切断装置１は台座に固定して使用される。切断装置１は、鋏２と、固定部材３とを備える。鋏２は、第一の鋏部材２１と、第二の鋏部材２２と、第一の鋏部材２１と第二の鋏部材２２とを回転可能に接続する軸部材２３とを備える。第一の鋏部材２１は、第一の刃体部２１１と、第一の刃体部２１１に接続された第一の柄部２１３とを有する。第二の鋏部材２２は、第二の刃体部２２１と、第二の刃体部２２１に接続された第二の柄部２２３とを有する。切断装置１では、第一の柄部２１３が下側、第二の柄部２２３が上側となるよう鋏２を配置した状態で、固定部材３によって、第一の柄部２１３を台座に固定する。【選択図】図１
2019202389.tif 000002
【特許請求の範囲】
【請求項１】
台座に固定して使用される切断装置であって、
第一の刃体部及び前記第一の刃体部に接続された第一の柄部を有する第一の鋏部材と、第二の刃体部及び前記第二の刃体部に接続された第二の柄部を有する第二の鋏部材と、前記第一の鋏部材と前記第二の鋏部材とを回転可能に接続する軸部材と、を備える鋏と、
前記第一の柄部が下側、前記第二の柄部が上側となるよう前記鋏を配置した状態で、前記第一の柄部を前記台座に固定する固定部材と、
を備えることを特徴とする切断装置。
【請求項２】
前記軸部材から前記第二の柄部の端部までの長さは、前記軸部材から前記第一の柄部の端部までの長さよりも長い、
請求項１に記載の切断装置。
【請求項３】
前記第一の柄部と前記第二の柄部とを互いに離反する方向へ付勢する弾性部材をさらに備える、
請求項１又は２に記載の切断装置。
【請求項４】
前記固定部材は、前記台座に固定される設置部と、前記第一の柄部が取り付けられる柄部用固定部と、前記設置部と前記柄部用固定部とを解除可能に固定するロック部材とを備え、前記ロック部材のロック解除状態において、前記柄部用固定部は前記設置部に対して移動可能である、
請求項１から３のいずれか１項に記載の切断装置。
【発明の詳細な説明】
【技術分野】
【０００１】
本発明は、台座に固定されて使用される切断装置に関する。
【背景技術】
【０００２】
刃体部及び柄部を有する一対の鋏部材と、一対の鋏部材を回転可能に接続する軸部材と、一対の鋏部材が離反するよう付勢するバネと、を備えた鋏が知られている。このような鋏は例えば特許文献１に開示されている。
【先行技術文献】
【特許文献】
【０００３】
【特許文献１】特開２０１３−２２３４７７号公報
【発明の概要】
【発明が解決しようとする課題】
【０００４】
特許文献１の鋏では、柄部を握ることで刃体部同士が接近し、被切断物を切断することができる。しかし、大量の被切断物を切断しなければならない場合、何回も柄部を握ることになるため、使用者の手が疲れるという問題がある。
【０００５】
本発明は、切断時における使用者への負担を軽減させることが可能な切断装置を提供することを目的とする。
【課題を解決するための手段】
【０００６】
本発明は、台座に固定して使用される切断装置であって、
第一の刃体部及び前記第一の刃体部に接続された第一の柄部を有する第一の鋏部材と、第二の刃体部及び前記第二の刃体部に接続された第二の柄部を有する第二の鋏部材と、前記第一の鋏部材と前記第二の鋏部材とを回転可能に接続する軸部材と、を備える鋏と、
前記第一の柄部が下側、前記第二の柄部が上側となるよう前記鋏を配置した状態で、前記第一の柄部を前記台座に固定する固定部材と、
を備えることを特徴とする。
【０００７】
上記特徴により、上側に配置された第二の柄部を押し下げると第二の刃体部が第一の刃体部に接近し、第一の刃体部と第二の刃体部との間で被切断物を切断することができる。本発明の切断装置では、下側に配置された第一の柄部は固定部材によって台座に固定されているため、第二の柄部を押し下げるだけで被切断物を切断できる。したがって、使用者が両方の柄部を握る必要がなく、使用者の手にかかる負担を軽減することができる。
【０００８】
本発明の切断装置において、前記軸部材から前記第二の柄部の端部までの長さは、前記軸部材から前記第一の柄部の端部までの長さよりも長いことが好ましい。
【０００９】
上記特徴により、使用者が第二の柄部の端部を握って第二の柄部を押し下げることで、使用者の手が第二の柄部と第一の柄部との間に挟まることを防止することができる。
【００１０】
本発明の切断装置において、前記第一の柄部と前記第二の柄部とを互いに離反する方向へ付勢する弾性部材をさらに備えることが好ましい。
【００１１】
上記特徴により、第二の柄部を押し下げて被切断物を切断した後、第二の柄部は自動的に元の位置に戻る。これにより、使用者が意図的に第二の柄部を元の位置に戻す必要がなく、切断装置の操作が簡単になる。
【００１２】
本発明の切断装置において、前記固定部材は、前記台座に固定される設置部と、前記第一の柄部が取り付けられる柄部用固定部と、前記設置部と前記柄部用固定部とを解除可能に固定するロック部材とを備え、前記ロック部材のロック解除状態において、前記柄部用固定部は前記設置部に対して移動可能であることが好ましい。
【００１３】
上記特徴により、鋏を使用者の使いやすい位置及び角度に調節して固定することができる。
【発明の効果】
【００１４】
本発明の切断装置では、第二の柄部を押し下げるだけで被切断物を切断できるため、使用者の手にかかる負担を軽減することができる。
【図面の簡単な説明】
【００１５】
【図１】第一実施形態における切断装置の図であり、（ａ）両方の刃体部が開いた状態の斜視図、（ｂ）両方の刃体部が開いた状態の正面図である。
【図２】第二実施形態における切断装置の図であり、（ａ）両方の刃体部が開いた状態の斜視図、（ｂ）両方の刃体部が閉じた状態の正面図、（ｃ）両方の刃体部が閉じた状態の背面図、（ｄ）（ｃ）のＩＩｄ部分拡大図である。
【図３】切断装置の変形例の図であり、（ａ）両方の刃体部が開いた状態の斜視図、（ｂ）両方の刃体部が開いた状態の正面図、（ｃ）（ａ）及び（ｂ）の変形例であり、両方の刃体部が開いた状態の正面図である。
【図４】切断装置の変形例の図であり、（ａ）両方の刃体部が開いた状態の斜視図、（ｂ）両方の刃体部が開いた状態の正面図である。
【発明を実施するための形態】
【００１６】
本発明について図面を参照しながら説明する。以下で説明する実施形態は、いずれも本発明の好ましい一具体例を示すものである。本発明は、以下の実施形態に限定されず、その主旨を逸脱しない範囲で適宜変更可能である。
【００１７】
＜第一実施形態＞
図１（ａ）は切断装置１の斜視図であり、図１（ｂ）は切断装置１の正面図である。切断装置１は、例えば収穫したニンニクの球を茎から切り離す際に利用される。切断装置１は、鋏２と、鋏２を台座に固定する固定部材３とを備える。以下では、図１（ａ）の上、下、右上、左下をそれぞれ切断装置１の上、下、右、左として説明する。
【００１８】
鋏２は、第一の鋏部材２１と、第二の鋏部材２２と、軸部材２３と、弾性部材２４とを備える。
【００１９】
第一の鋏部材２１は、刃体部２１１と、刃体部２１１に一体的に接続された中間部２１２と、中間部２１２に一体的に接続された柄部２１３とを備える。中間部２１２には、軸部材２３が挿入される穴（不図示）が形成されている。第二の鋏部材２２は、刃体部２２１と、刃体部２２１に一体的に接続された中間部２２２と、中間部２２２に一体的に接続された柄部２２３とを備える。中間部２２２には、軸部材２３が挿入される穴（不図示）が形成されている。第一の鋏部材２１と第二の鋏部材２２とは軸部材２３によって回転可能に接続されている。軸部材２３の中心から柄部２１３、２２３の端部（左端）までの長さは、軸部材２３の中心から刃体部２１１、２２１の端部（右端）までの長さよりも長くなっている。第二の鋏部材２２の柄部２２３の端部は、第一の鋏部材２１の柄部２１３の端部よりも左方向に延出している。つまり、軸部材２３の中心から柄部２２３の端部までの長さは、軸部材２３の中心から柄部２１３の端部までの長さよりも長くなっている。一例として、軸部材２３の中心から刃体部２１１、２２１の端部までの長さは８０ｍｍであり、軸部材２３の中心から柄部２１３の端部までの長さは１３０ｍｍであり、軸部材２３の中心から柄部２２３の端部までの長さは２７０ｍｍである。
【００２０】
弾性部材２４は柄部２１３と柄部２２３との間に配置され、弾性部材２４の両端はそれぞれ、中間部２１２及び中間部２２２の、軸部材２３よりも柄部２１３、２２３側の位置に取り付けられている。弾性部材２４は、柄部２１３と柄部２２３とが互いに離反するよう第一の鋏部材２１と第二の鋏部材２２とを付勢している。本実施形態では、弾性部材２４はＶ型のバネである。
【００２１】
固定部材３は、当該固定部材３を台座に固定するための設置部３１と、第一の鋏部材２１の柄部２１３を固定する柄部用固定部３２と、設置部３１と柄部用固定部３２とを解除可能に固定するロック部材３３とを備える。本実施形態では、ロック部材３３はボルト及びナットである。
【００２２】
設置部３１は、水平に延び、台座に固定される第一部分３１１と、第一部分３１１から略垂直に立ち上がる第二部分３１２とから構成されたＬ字型部材から成る。第一部分３１１には、台座と第一部分３１１とを固定するためのボルト等の固定具を挿入する複数の穴が形成されている。第二部分３１２にはロック部材（ボルト）３３を挿入するための複数の穴が形成されている。
【００２３】
柄部用固定部３２は、設置部３１の第二部分３１２に取り付けられる第一部分３２１と、第一部分３２１に固定され、第一の鋏部材２１の柄部２１３を挿入するための筒状の第二部分３２２とから構成されている。第一部分３２１にはロック部材（ボルト）３３を挿入するための複数の穴が形成されている。
【００２４】
柄部用固定部３２は、ロック部材３３を締め付けることにより設置部３１の第二部分３１２に固定される。一方、ロック部材３３を緩めることにより、柄部用固定部３２は設置部３１の第二部分３１２に対して回転移動及び／又は上下左右移動させることができる。
【００２５】
切断装置１において、鋏２は、第一の鋏部材２１の柄部２１３が下側、第二の鋏部材２２の柄部２２３が上側となるよう配置され、第一の鋏部材２１の柄部２１３は柄部用固定部３２の第二部分３２２に挿入される。このとき、第一の鋏部材２１の刃体部２１１は上側に位置し、第二の鋏部材２２の刃体部２２１は下側に位置する。柄部２１３が、柄部用固定部３２の第二部分３２２と摩擦係合することで、鋏２は固定部材３に固定される。なお、切断装置１の非使用時には、柄部２１３は第二部分３２２から取り外すことができる。つまり、切断装置１の非使用時には、鋏２は固定部材３から取り外すことができる。
【００２６】
以下では、切断装置１の作用効果について説明する。
【００２７】
切断装置１では、第二の鋏部材２２の柄部２２３を第一の鋏部材２１の柄部２１３に向けて押し下げると、第二の鋏部材２２は軸部材２３を中心として反時計回りに回転する。これにより、第二鋏部材２２の刃体部２２１は第一の鋏部材２１の刃体部２１１に向けて上方へ移動する。そして、刃体部２１１と刃体部２２１との間で被切断物は切断される。第一の鋏部材２１は固定部材によって台座に固定されているため動かない。このように、切断装置１では、第二の鋏部材２２の柄部２２３を押し下げるだけで被切断物を切断することができる。したがって、従来のように柄部２１３と柄部２２３との両方を握って被切断物を切断する必要がないため、使用者の手に掛かる負担を減らすことができる。
【００２８】
鋏１には、柄部２１３と柄部２２３とを互いに離反する方向へ付勢する弾性部材２４が取り付けられているため、柄部２２３を押し下げて被切断物を切断した後、柄部２２３は自動的に元の位置に戻る。これにより、使用者が意図的に柄部２２３を元の位置に戻す必要がなく、切断装置１の操作が簡単になる。
【００２９】
柄部２２３は柄部２１３よりも長くなっている。これにより、柄部２２３の端部を握って柄部２２３を操作すれば、使用者の手が柄部２１３と柄部２２３との間に挟まれることがない。
【００３０】
柄部用固定部３２は設置部３１に対して移動可能となっている。これにより、使用者の使いやすい位置及び角度に鋏２を調節して固定することができる。
【００３１】
＜第二実施形態＞
切断装置１の第二実施形態について説明する。第一実施形態と同一の構成要素については同一の符号を付しその説明を省略すると共に、相違点を中心に説明する。
【００３２】
図２（ａ）は第二実施形態の切断装置１の斜視図であり、両刃体部２１１、２２１が開いた状態を示している。図２（ｂ）は切断装置１の正面図、図２（ｃ）は切断装置１の背面図、図２（ｄ）は図２（ｃ）のＩＩｄ部分拡大図であり、図２（ｂ）から（ｄ）は両刃体部２１１、２２１が閉じた状態を示している。
【００３３】
第一実施形態では、第一の鋏部材２１の刃体部２１１が上側、第二の鋏部材２２の刃体部２２１が下側に配置され、第二の鋏部材２２の柄部２２３を押し下げると刃体部２２１が上方へ移動する構成について説明した。第二実施形態では、図２（ａ）から（ｃ）に示すように、第一の鋏部材２１の刃体部２１１が下側、第二の鋏部材２２の刃体部２２１が上側に配置されており、第二の鋏部材２２の柄部２２３を押し下げると、上側に配置された刃体部２２１が下方へ移動する。
【００３４】
第二の鋏部材２２において、中間部２２２は二つに分離されており、したがって、刃体部２２１と柄部２２３とは一体的には接続されていない。中間部２２２は、刃体部２２１と一体的に接続された中間部２２２ａと、柄部２２３と一体的に接続された中間部２２２ｂとから構成されている。中間部２２２ａ及び中間部２２２ｂはそれぞれ屈曲した部位２２２ｃ、２２２ｄを有する。中間部２２２ａの端部には、図２（ｄ）に示すように、切欠き２２２ｅが形成されている。中間部２２２ｂの端部にはピン２２２ｆが設けられている。ピン２２２ｆが切欠き２２２ｅ内に挿入されることで、柄部２２３と刃体部２２１とは接続されている。中間部２２２ａ及び中間部２２２ｂには、屈曲した部位２２２ｃ、２２２ｄにおいて軸部材２３が挿入される穴（不図示）がそれぞれ形成されている。第一の鋏部材２１の中間部２１２には、第二の鋏部材２２の穴に対応する位置に、軸部材２３が挿入される穴（不図示）がそれぞれ二つ形成されている。第二実施形態では、二つの軸部材２３１、２３２が第一の鋏部材２１及び第二の鋏部材２２の二箇所にそれぞれ形成された穴にそれぞれ挿入されている。
【００３５】
第二実施形態における鋏２では、図２（ａ）に示す状態から第二の鋏部材２２の柄部２２３を押し下げると、中間部２２２ｂは軸部材２３２を中心として反時計回りに回転する。ピン２２２ｆは切欠き２２２ｅの縁部に当接しながら、切欠き２２２ｅ内を切欠き２２２ｅから出る方向へ移動する。そして、ピン２２２ｆは中間部２２２ａを押し上げ、中間部２２２ａを軸部材２３１を中心として時計回りに回転させる。これにより、図２（ｂ）に示すように、刃体部２２１は刃体部２１１に向けて下方へ移動する。
【００３６】
このように第二実施形態では、第二の鋏部材２２の刃体部２２１は上側に配置され、柄部２２３を下方に押し下げることにより、上側に配置された刃体部２２１が下方に移動する。
【００３７】
＜変形例＞
以下では、切断装置１の変形例について説明する。
【００３８】
（１）第二の鋏部材２２の柄部２２３は、第一部分と、第一部分に接続され、第一部分の長さを延長する第二部分とから構成されていてもよい。第一部分は、第一の鋏部材２１の柄部２１３と略同じ長さであってもよい。第二部分は、第一部分と別部材から構成されており、第二部分に着脱可能に又は着脱不能に接続される。第二部分は例えば金属材料又はプラスチック材料から成る筒状部材から構成することができる。このような柄部２２３の構成は、鋏２として、一般に流通する鋏を使用する場合に特に有用である。一般に流通する鋏は両方の柄部が同じ長さであることがほとんどである。そのため、一方の柄部に、アタッチメントとして第二部分を取り付けることにより、一方の柄部を他方の柄部よりも長くすることができるため、鋏２として、一般に流通する鋏の利用が可能になる。
【００３９】
（２）切断装置１は、図３（ａ）及び（ｂ）に示すように、刃体部２１１及び刃体部２２１を覆うカバー４を備えていてもよい。このカバー４は安全カバーとして機能する。図３（ａ）及び（ｂ）に示すカバー４は、刃体部２１１、２２１の両側面にそれぞれ配置される一対のプレート４１を備える。両方のプレート４１はネジＳにより中間部２１２に着脱可能に固定されている。プレート４１には、右端から左方向に延びる開口部４２が形成されている。開口部４２は被切断物が通過可能な大きさに形成されている。図３（ｂ）に示すように、鋏２の非使用状態において、刃体部２１１は、その先端からほぼ刃元までの下側部分のみが開口部４２から露出しており、それ以外の部分はプレート４１によって覆われている。一方、刃体部２２１はその全体がプレート４１によって覆われている。鋏２の使用状態において、刃体部２２１は、その先端からほぼ刃元までの上側部分のみが開口部４２から露出する。
【００４０】
プレート４１は、図３（ｃ）に示すように、鋏２の非使用状態において、刃体部２１１の先端も覆い、刃体部２１１の中間部の下側部分のみが露出するよう構成されていてもよい。
【００４１】
プレート４１は、図４（ａ）及び（ｂ）に示すように、鋏２の非使用状態において、刃体部２１１のみを覆い、刃体部２２１は覆わないよう構成されていてもよい。
【００４２】
切断装置１がカバー４を備えていることにより、使用中に、使用者の指が刃体部２１１と刃体部２２１との間に入ることを極力防止することができる。
【００４３】
（３）第二実施形態において、切欠き２２２ｅ及びピン２２２ｆを設ける代わりに、中間部２２２ａの端部及び中間部２２２ｂの端部にそれぞれギヤ歯を形成するようにしてもよい。そして、それらのギヤ歯を噛み合わせることで柄部２２３の移動に伴い、刃体部２２１が移動するようにしてもよい。
【符号の説明】
【００４４】
１          切断装置
２          鋏
２１        第一の鋏部材
２１１      刃体部
２１２      中間部
２１３      柄部
２２        第二の鋏部材
２２１      刃体部
２２２      中間部
２２３      柄部
２３        軸部材
２４        弾性部材
３          固定部材
３１        設置部
３２        柄部用固定部
３３        ロック部材
４          カバー
【図１】
2019202389.tif 000003
【図２】
2019202389.tif 000004
【図３】
2019202389.tif 000005
【図４】
2019202389.tif 000006